(57)【要約】【課題】端末機に供給する温水量を最適化すること。【解決手段】出力可変型の温水搬送用ポンプ３０によって高温水を高温端末機３５に供給した後、余った高温水を低温水供給回路３１に導く高温水バイパス回路３７が設けられ、また、低温水供給回路３１から供給される低温水と高温水とを混合し、この温水を低温端末機３９に供給した後、余った温水を暖房タンク４１に戻す暖房バイパス回路４０が設けられている。これによって、温水搬送用ポンプ３０の出力を可変することにより端末機に必要な温水量を最適化して供給することができる。【選択図】　図１
2004132581.tif 000002
【特許請求の範囲】
【請求項１】
出力可変型の温水搬送用ポンプと、該温水搬送用ポンプから搬送された温水を加熱する温水加熱装置と、前記温水搬送用ポンプから搬送された温水を低温水供給口に導く低温水供給回路と、前記温水加熱装置で加熱された温水温度を検出する高温サーミスタと、前記温水加熱装置で加熱された温水を高温端末機に供給する高温水供給口と、高温端末機に供給した後、余った高温水を前記低温水供給回路に導き該低温水供給回路からの逆流を防止する機能を備えた高温水バイパス回路と、前記低温水供給回路と前記高温水バイパス回路とを混合した低温水を低温端末機に供給する低温水供給口と、前記低温端末機に供給した後、余った低温水を暖房タンクに戻す暖房バイパス回路と、制御装置とを備えた温水暖房装置。
【請求項２】
温水搬送用ポンプの出力を温水加熱装置への加熱量に応じて複数段階に制御する請求項１記載の温水暖房装置。
【請求項３】
温水加熱装置への温水供給量と低温水供給回路への温水供給量との比率を１：１．５〜２になるように通路抵抗を設定した請求項１記載の温水暖房装置。
【請求項４】
暖房バイパス流量が、低温水供給口部の圧力が１００ｋＰａの時６Ｌ／分以上流れ、５０ｋＰａの時１０Ｌ／分以下になるような暖房バイパス回路の通路抵抗にした請求項１記載の温水暖房装置。
【請求項５】
暖房バイパス回路に定圧弁を設け低温水供給口部の圧力を５０〜１００ｋＰａにした請求項１記載の温水暖房装置。
【請求項６】
暖房バイパス回路に定圧弁を設け低温水供給口部の圧力を５０〜１００ｋＰａにし、かつ、暖房バイパス回路の通路抵抗を低温水供給口部の圧力が５０ｋＰａの時１０Ｌ／分以下にした請求項１記載の温水暖房装置。
【発明の詳細な説明】
【０００１】
【発明の属する技術分野】
本発明は、複数の温度制御を行う温水暖房装置に関し、更に詳しくは、低温水と高温水とをそれぞれ混合し、少流量から大流量まで最適な温度と流量になる温水暖房装置に関するものである。
【０００２】
【従来の技術】
従来この種の複数の温水を供給できる温水暖房システム構成図を図７に示す。ここでは、ガス燃焼を利用した温水暖房機をイメージした構成図になっている。一定出力型温水搬送用ポンプ１と、温水搬送用ポンプから搬送された温水を加熱する温水加熱装置２と、温水搬送用ポンプから搬送された温水を低温水供給口に導く低温水供給回路３と、温水加熱装置２に加熱エネルギーを供給する調整器４と、加熱後の温水温度を検出する高温センサー５と、最低循環温水流量を確保する温水バイパス６と、温水加熱装置で加熱された温水を高温端末機に供給する高温水供給口７と、高温端末機に供給した後余った高温水を低温水供給回路に導き低温水供給回路からの逆流を防止する機能を備えた高温水バイパス回路８と、低温水供給回路と高温水バイパス回路とを混合した温水を複数の分岐回路に供給するための温水弁９を複数有する低温水供給口１０と、すべての戻り温水を合流させる温水戻りヘッダー１１、この戻り温水と温水バイパス６を通った温水を戻す温水タンク１２と、これらをコントロールする制御器１３から温水暖房用の熱源機１４を形成している。
【０００３】
この熱源機１４から低温水を利用する複数の端末機１５が低温水供給口１０に有る温水弁９から低温水往き配管１６によって接続され低温水の供給を受け、また温水戻り配管１７によって温水戻りヘッダー１１に使用後の温度の下がった温水を戻している。さらに高温水供給口７の高温水を利用する複数の高温端末機１８は高温水往き配管１９によって接続され温水の供給を受け、また温水戻り配管１７によって温水戻りヘッダー１１に使用後の温度の下がった温水を戻している。また、それぞれ複数の端末機１５，１８は通信線２０，２１によって熱源機１４の制御器１３に接続され全体として温水暖房システムを形成している。ここで、制御器１３は暖房端末機１５，１８の運転信号を通信線２０，２１から受け、温水暖房ポンプ１を回転させ温水を循環させる、調整器４によって加熱装置２の加熱量を調整し高温センサー５の温度を設定温度に保つ用に制御している。
【０００４】
【発明が解決しようとする課題】
しかしながら、従来の温水暖房システムでは、温水搬送用ポンプが一定出力型であり、端末機に供給する温水量が少流量の時は暖房回路内圧力が上昇する。一般的に温水暖房システムの耐圧を考えると温水搬送用ポンプの出力を最大１００ｋＰａまでに抑えたい。したがって、端末機に供給する温水量が今以上増やせない。また、温水暖房ポンプの搬送出力は端末機に供給する温水量に関係なく定常運転であり最適化されていないという課題を有していた。
【０００５】
【発明を解決するための手段】
上記課題を解決するために本発明の温水暖房装置は、出力可変型の温水搬送用ポンプを搭載し、高温端末機に供給した後余った高温水を低温水供給回路に導く高温水バイパス回路を設け、低温水供給回路から供給される低温水と高温水とを混合し、この温水を低温端末機に供給した後余った温水を暖房タンクに戻す暖房バイパス回路を設け、温水搬送用ポンプの出力を可変することにより端末機に必要な温水量を最適に供給することができる。
【０００６】
【発明の実施の形態】
請求項１に記載の発明は、出力可変型温水搬送用ポンプと、温水搬送用ポンプから搬送された温水を加熱する温水加熱装置と、温水搬送用ポンプから搬送された温水を低温水供給口に導く低温水供給回路と、温水加熱装置で加熱された温水温度を検出する高温サーミスタと、温水加熱装置で加熱された温水を高温端末機に供給する高温水供給口と、高温端末機に供給した後余った高温水を低温水供給回路に導き低温水供給回路からの逆流を防止する機能を備えた高温水バイパス回路と、低温水低温水供給回路と高温水バイパス回路とを混合した低温水を低温端末機に供給する低温水供給口と、低温端末機に供給した後余った低温水を暖房タンクに戻す暖房バイパス回路と、制御装置とを有することで、端末機に供給する温水量が少流量の時は、出力可変型温水搬送用ポンプの出力を小さくするとともに、余った低温水は暖房バイパス回路を通り暖房タンクに戻され、暖房回路内圧力の上昇を抑えることができる。
【０００７】
請求項２に記載の発明は、温水搬送用ポンプの出力を温水加熱装置への加熱量に応じて複数段階に制御することにより、より適切なポンプ出力が得られる。
【０００８】
請求項３に記載の発明は、温水加熱装置への温水供給量と低温水供給回路への温水供給量との比率を１：１．５〜２になるように通路抵抗を設定することにより、低温水供給回路からの低温水供給量が増え、低温端末機に供給する温水量が大流量の時でも、十分温水を供給することができる。
【０００９】
請求項４に記載の発明は、暖房バイパス流量が、低温水供給口部の圧力が１００ｋＰａの時６Ｌ／分以上流れ、５０ｋＰａの時１０Ｌ／分以下になるような暖房バイパス回路の通路抵抗にしたことで、暖房バイパス回路に流す量を抑えることができ、必要以上に温水搬送用ポンプの出力を上げなくてすむ。
【００１０】
請求項５に記載の発明は、暖房バイパス回路に定圧弁を設けることで、低温水供給口部の圧力を５０〜１００ｋＰａに設定でき、端末機の運転に応じた温水量を供給することができる。また、暖房バイパス回路に流す量を最低限に抑えることができ、最適な温水搬送用ポンプの出力で運転できる。
【００１１】
請求項６に記載の発明は、暖房バイパス回路に定圧弁を設けることで、低温水供給口部の圧力を５０〜１００ｋＰａになるようにし、かつ、暖房バイパス回路の通路抵抗を低温水供給口部の圧力が５０ｋＰａの時１０Ｌ／分以下になるようにすることで、端末機の運転に応じた温水量を最適な温水搬送用ポンプの出力で運転でき、かつ、暖房バイパス回路に流す量を抑えることで、より多くの温水を端末機に供給することができる。
【００１２】
【実施例】
以下、本発明の実施例について図面を用いて説明する。
【００１３】
（実施例１）
図１は本発明の実施例１の温水暖房装置のシステム構成図である。
【００１４】
図１において、３０は入力電圧を可変することで温水搬送出力を可変するＤＣポンプで、ＤＣポンプから搬出された温水は２つの温水回路に分かれ、一方は低温水供給回路３１に供給され、一方は温水を加熱する温水加熱装置３２を通り、３３の高温サーミスタで温水温度を検出する。温水加熱装置３２で加熱する熱量は温水温度が設定された温水温度になるように制御される。加熱された温水は高温水供給口３４から高温端末機３５に供給される。高温端末機３５に供給した後余った高温水は低温水供給回路３１からの逆流を防止する機能３６を備えた高温水バイパス回路３７に導かれ、低温水供給回路３１から供給された温水と混合され、低温水として低温水供給口３８に供給され低温端末機３９に供給される。低温水は低温端末機３９に供給した後余った低温水は暖房バイパス回路４０を通り暖房タンク４１に戻される。端末機に供給する温水量が少流量の時は、出力可変型温水搬送用ポンプの出力を小さくするとともに、余った低温水は暖房バイパス回路を通り暖房タンクに戻され、暖房回路内圧力の上昇を抑えることができる。
【００１５】
（実施例２）
図２は本発明の実施例２の温水暖房装置のシステム構成図である。図２において、５０は温水搬送出力を可変するＤＣポンプで、５１は温水加熱装置で、５２は加熱エネルギーを供給する調整器で、５３は制御器で、実施例１の構成と異なるところは、加熱エネルギーを供給する調整器５２の出力を制御器５３で読み取り、調整器５２の出力に応じて制御器５３から温水搬送用ＤＣポンプ５０の出力を複数段階に制御することで、温水搬送用ＤＣポンプ５０の出力を抑えることができる。
【００１６】
（実施例３）
図３は本発明の実施例３の温水暖房装置のシステム構成図である。図３において、６０は温水加熱装置で、６１は低温水供給回路で、６２は低温水供給口で、実施例１の構成と異なるところは温水加熱装置６０への温水供給量と低温水供給回路６１への温水供給量との比率を１：１．５〜２になるように通路抵抗を設定したことで、低温水供給口６２への温水供給量を増やすことができる。
【００１７】
（実施例４）
図４は本発明の実施例４の温水暖房装置のシステム構成図である。図４において、７０は暖房バイパス回路で、実施例１の構成と異なるところは暖房バイパス流量が、低温水供給口部の圧力が１００ｋＰａの時６Ｌ／分以上流れ、５０ｋＰａの時１０Ｌ／分以下になるように暖房バイパス回路７０の通路抵抗にしたことで、温水搬送用ＤＣポンプの出力を抑えることができる。
【００１８】
（実施例５）
図５は本発明の実施例５の温水暖房装置のシステム構成図である。図５において、８０は暖房バイパス回路で、８１は定圧弁で、８２は低温水供給口部で、実施例１の構成と異なるところは暖房バイパス回路８０に定圧弁８１を設け、低温水供給口部８２の圧力を５０〜１００ｋＰａになるようにしたことで温水搬送用ＤＣポンプ５０の出力を抑えることができる。
【００１９】
（実施例６）
図６は本発明の実施例６の温水暖房装置のシステム構成図である。図６において、９０は暖房バイパス回路で、８１は定圧弁で、９１は通路抵抗で、９２は低温水供給口部で、実施例１の構成と異なるところは暖房バイパス回路９０に定圧弁８１を設け低温水供給口部９２の圧力を５０〜１００ｋＰａになるようにし、かつ、暖房バイパス回路９０の通路抵抗９１を設けることで低温水供給口部９２の圧力が５０ｋＰａの時１０Ｌ／分以下になるようにしたことで、さらに温水搬送用ＤＣポンプ５０の出力を抑えることができる。
【００２０】
【発明の効果】
以上のように本発明によれば、最適な温水搬送量をできるだけ小さい温水搬送用ポンプの出力で提供することができ、省エネルギーが実現できるとともに、より静かな温水暖房システムを実現する事ができる。また、今以上に大容量の温水を搬送する温水暖房システムを実現する事ができる。
【図面の簡単な説明】
【図１】本発明の実施例１の温水暖房装置のシステム構成図
【図２】本発明の実施例２の温水暖房装置のシステム構成図
【図３】本発明の実施例３の温水暖房装置のシステム構成図
【図４】本発明の実施例４の温水暖房装置のシステム構成図
【図５】本発明の実施例５の温水暖房装置のシステム構成図
【図６】本発明の実施例６の温水暖房装置のシステム構成図
【図７】従来の温水暖房装置のシステム構成図
【符号の説明】
３０　温水搬送出力を可変するＤＣポンプ
３１　低温水供給回路
３２　温水加熱装置
３３　高温サーミスタ
３４　高温水供給口
３５　高温端末機
３７　高温水バイパス回路
４０　暖房バイパス回路
【図１】
2004132581.tif 000003
【図２】
2004132581.tif 000004
【図３】
2004132581.tif 000005
【図４】
2004132581.tif 000006
【図５】
2004132581.tif 000007
【図６】
2004132581.tif 000008
【図７】
2004132581.tif 000009